(57)【要約】  不飽和カルボン酸、酸触媒及び水を含む混合媒体と、ビニルアルコール系重合体粒子とを混合する変性ビニルアルコール系重合体粒子の製造方法であって、前記混合媒体と前記ビニルアルコール系重合体粒子とを混合して、前記不飽和カルボン酸と前記ビニルアルコール系重合体粒子とを反応させることにより、下記式（２）で示されるビニルエステル単位を含み、全構成単位に対するビニルアルコール単位の含有量が６０モル％以上９５モル％未満であり、平均粒子径が５０〜２０００μｍである変性ビニルアルコール系重合体粒子を得る、製造方法である。当該製造方法は、粒子形状の制御が可能であり、硫黄分の残留の問題もないうえに、簡便であり経済的にも優れる。2020138284.tif 000013
2020138284.tif 000002
【特許請求の範囲】
【請求項１】
不飽和カルボン酸、酸触媒及び水を含む混合媒体と、ビニルアルコール系重合体粒子とを混合する変性ビニルアルコール系重合体粒子の製造方法であって、
前記不飽和カルボン酸が下記式（１）で示されるものであり、
前記混合媒体と前記ビニルアルコール系重合体粒子を混合して、前記不飽和カルボン酸と前記ビニルアルコール系重合体粒子とを反応させることにより、下記式（２）で示されるビニルエステル単位を含み、全構成単位に対するビニルアルコール単位の含有量が６０モル％以上９５モル％未満であり、平均粒子径が５０〜２０００μｍである変性ビニルアルコール系重合体粒子を得る、製造方法。
【化１】
2020138284.tif 000010
［式（１）中、Ｘは炭素−炭素結合または炭素数１〜１０の分岐構造を有していてもよい２価の飽和炭化水素基を表し、Ｙは水素原子または炭素数１〜６の分岐構造を有していてもよい飽和炭化水素基を表し、Ｚは水素原子またはメチル基を表す。］
【化２】
2020138284.tif 000011
［式（２）中のＸ、Ｙ、Ｚは式（１）と同義である。］
【請求項２】
前記変性ビニルアルコール系重合体粒子の比表面積が０．０１〜１．０ｍ２／ｇである、請求項１に記載の製造方法。
【請求項３】
前記混合媒体における水の含有量が１〜２０質量％である、請求項１又は２に記載の製造方法。
【請求項４】
前記混合媒体がさらに酢酸を含む、請求項１〜３のいずれかに記載の製造方法。
【請求項５】
Ｙが水素原子である、請求項１〜４のいずれかに記載の製造方法。
【請求項６】
Ｘが炭素−炭素結合である、請求項１〜５のいずれかに記載の製造方法。
【請求項７】
前記変性ビニルアルコール系重合体粒子をさらに洗浄する、請求項１〜６のいずれかに記載の製造方法。
【請求項８】
下記式（２）で示されるビニルエステル単位を含む変性ビニルアルコール系重合体粒子であって、全ビニルエステル単位に対する、三連鎖以上で存在するビニルエステル単位の割合が３０％以下であり、全構成単位に対するビニルアルコール単位の含有量が６０モル％以上９５モル％未満であり、平均粒子径が５０〜２０００μｍである変性ビニルアルコール系重合体粒子。
【化３】
2020138284.tif 000012
［式（２）中、Ｘは炭素−炭素結合または炭素数１〜１０の分岐構造を有していてもよい２価の飽和炭化水素基を表し、Ｙは水素原子または炭素数１〜６の分岐構造を有していてもよい飽和炭化水素基を表し、Ｚは水素原子またはメチル基を表す。］
【請求項９】
硫黄分の含有量が０．０１〜２００００ｐｐｍである、請求項８に記載の粒子。
【請求項１０】
ＡＳＴＭ  Ｄ１９２５にしたがって測定されるイエローインデックス（ＹＩ）が５０以下である、請求項８又は９に記載の粒子。
【請求項１１】
全構成単位に対する前記式（２）で示されるビニルエステル単位の含有量が０．０１〜１０モル％である、請求項８〜１０のいずれかに記載の粒子。
【請求項１２】
Ｙが水素原子である、請求項８〜１１のいずれかに記載の粒子。
【請求項１３】
Ｘが炭素−炭素結合である、請求項８〜１２のいずれかに記載の粒子。
【発明の詳細な説明】
【技術分野】
【０００１】
本発明は、側鎖に不飽和炭化水素基を有する変性ビニルアルコール系重合体粒子の製造方法及びそれにより得られる粒子に関する。
【背景技術】
【０００２】
ポリビニルアルコールに代表されるビニルアルコール系重合体は、数少ない結晶性の水溶性高分子として優れた界面特性および強度特性を有することから、紙加工、繊維加工およびエマルジョン用の安定剤などに利用されている。また、ビニルアルコール系重合体を種々の方法で架橋させたビニルアルコール系重合体ゲルは、その親水性や安全性から、高吸水性樹脂（Ｓｕｐｅｒ  Ａｂｓｏｒｂｅｎｔ  Ｐｏｌｙｍｅｒ）やコンタクトレンズ、水系／有機溶媒系ＳＥＣカラムの充填剤などに利用されている。特に、ビニルアルコール単位の含有量が６０〜９５モル％程度のビニルアルコール系重合体は、エマルジョン用の安定剤として高い性能を発現するとともに、カラム充填剤として高い親油性を発現する。また、特定の機能を向上させるためにビニルアルコール系重合体に対する官能基の導入等が試みられており、種々の変性ビニルアルコール系共重合体が開発されている。【０００３】
中でも、側鎖に不飽和炭化水素基が導入された変性ビニルアルコール系重合体は、高エネルギー線照射による架橋耐水化や、グラフト重合による改質などが可能である。側鎖に不飽和炭化水素基を導入する方法としては、ビニルアルコール系重合体が有する水酸基と種々の化合物とを反応させる方法が一般的である。例えば、特許文献１には、不飽和炭化水素基を有するアルデヒドを用いたアセタール化により不飽和炭化水素基含有ビニルアルコール系重合体を合成する方法が開示されている。特許文献２には、不飽和炭化水素基を有するエポキシ化合物を用いたエーテル化により不飽和炭化水素基含有ビニルアルコール系重合体を合成する方法が開示されている。しかしながら、アルデヒドやエポキシのような化合物の中には変異原性を有するものがあるといわれており、これらの化合物を使用しない方法が求められている。【０００４】
一方、より安全性の高い不飽和カルボン酸や不飽和カルボン酸エステルを用いたエステル化により不飽和炭化水素基含有ビニルアルコール系重合体を合成する方法も開示されている。例えば、特許文献３及び４には、ビニルアルコール系重合体をジメチルスルホキシド（ＤＭＳＯ）に溶解させ、続いて不飽和カルボン酸エステルを用いてエステル交換させた後、貧溶媒に析出させて変性ビニルアルコール系重合体を得る方法が開示されている。特許文献５には、ビニルアルコール系重合体を水に溶解させた後、不飽和カルボン酸および酸触媒を用いてエステル化させて、変性ビニルアルコール系重合体を含む溶液を製造する方法が記載されている。非特許文献１には、ビニルアルコール系重合体を水に溶解させ、続いて不飽和カルボン酸、酢酸および酸触媒を用いてエステル化させた後、貧溶媒に析出させて変性ビニルアルコール系重合体を得る方法が開示されている。
【先行技術文献】
【特許文献】
【０００５】
【特許文献１】特開２００９−１０８３０５号公報
【特許文献２】特開２００３−２３１７１５号公報
【特許文献３】ＷＯ２０１８／１２４０１５号公報
【特許文献４】ＷＯ２０１８／１２４０１４号公報
【特許文献５】特開２００７−３２１０９９号公報
【非特許文献】
【０００６】
【非特許文献１】ジャーナルオブポリマーサイエンス：パートＡ：ポリマーケミストリー１９９７年、３５巻、ｐ．３６０３−３６１１
【発明の概要】
【発明が解決しようとする課題】
【０００７】
しかしながら、特許文献３および４に記載の変性ビニルアルコール系重合体の製造方法では、ＤＭＳＯ中にビニルアルコール系重合体を溶解させた状態でエステル交換反応を行っており、変性ビニルアルコール系重合体を単離するためには反応後に大量の貧溶媒中に当該重合体を析出させる必要があり、極めて煩雑で経済的に不利であった。また、このような方法で重合体を析出させた場合、粒子形状の制御が難しく、得られた重合体をカラムの充填剤として使用した場合に通液不良を引き起こすなどの問題を生じることも判明した。【０００８】
また、本発明者らにより、ＤＭＳＯはビニルアルコール系重合体との親和性が極めて高く、貧溶媒に析出させた場合でも樹脂中に残留しやすいという問題が判明した。加えて、特許文献３に記載の製造方法で得られた変性ビニルアルコール系重合体は、三連鎖以上で存在しているビニルエステル基の割合が多く親油性が比較的低いために、カラムの充填剤として使用する場合に、有機物の保持性が不十分であるという問題も判明した。【０００９】
特許文献５および非特許文献１に記載の変性ビニルアルコール系重合体の製造方法では、ＤＭＳＯではなく水を溶媒として反応を行っているため、硫黄分の残留の問題は解消できるものの、変性ビニルアルコール系重合体を単離するためには反応後に大量の貧溶媒中に前記重合体を析出させる必要があり、極めて煩雑で経済的に不利であった。また、このような方法で重合体を析出させた場合、粒子形状の制御が難しく、得られた重合体をカラムの充填剤として使用した場合に通液不良を引き起こすなどの問題を生じることも判明した。さらに、特許文献５には、変性ビニルアルコール系重合体を含む溶液が開示されているのみであって、粒子形状については全く開示されていない。【００１０】
本発明は上記課題を解決するためになされたものであり、粒子形状の制御が可能であり、コスト面でも優れる、不飽和炭化水素基を有する変性ビニルアルコール系重合体粒子の製造方法を提供することを目的とする。また、親油性が高く、硫黄分の含有量が少なく、かつ平均粒子径が所定の範囲である、不飽和炭化水素基を有する変性ビニルアルコール系重合体粒子を提供することを目的とする。
【課題を解決するための手段】
【００１１】
本発明者らは、上記課題を解決するために鋭意検討した結果、以下の点を見出した。すなわち、不飽和カルボン酸、酸触媒及び水を含む混合媒体と、ビニルアルコール系重合体粒子とを混合して不飽和カルボン酸とビニルアルコール共重合体粒子との反応を行うことにより、反応生成物の単離に大量の貧溶媒への析出を必要としないのみならず、得られる変性ビニルアルコール系重合体の粒子形状の制御が可能となることを見出した。また、変性ビニルアルコール系重合体粒子における、三連鎖以上で存在するビニルエステル基の割合及び粒子径を特定の範囲とすることにより、変性ビニルアルコール系重合体粒子をカラムの充填剤として用いた際の通液性及び親油性が向上することを見出し、本発明を完成した。【００１２】
すなわち、上記課題は、不飽和カルボン酸、酸触媒及び水を含む混合媒体と、ビニルアルコール系重合体粒子とを混合する変性ビニルアルコール系重合体粒子の製造方法であって、前記不飽和カルボン酸が下記式（１）で示されるものであり、前記混合媒体と前記ビニルアルコール系重合体粒子とを混合して、前記不飽和カルボン酸と前記ビニルアルコール系重合体粒子とを反応させることにより、下記式（２）で示されるビニルエステル単位を含み、全構成単位に対するビニルアルコール単位の含有量が６０モル％以上９５モル％未満であり、平均粒子径が５０〜２０００μｍである変性ビニルアルコール系重合体粒子を得る、製造方法を提供することによって解決される。【００１３】
【化１】
2020138284.tif 000003
【００１４】
［式（１）中、Ｘは炭素−炭素結合または炭素数１〜１０の分岐構造を有していてもよい２価の飽和炭化水素基を表し、Ｙは水素原子または炭素数１〜６の分岐構造を有していてもよい飽和炭化水素基を表し、Ｚは水素原子またはメチル基を表す。］【００１５】
【化２】
2020138284.tif 000004
【００１６】
［式（２）中のＸ、Ｙ、Ｚは式（１）と同義である。］【００１７】
このとき、前記変性ビニルアルコール系重合体粒子の比表面積が０．０１〜１．０ｍ２／ｇであることが好ましい。前記混合媒体における水の含有量が１〜２０質量％であることも好ましい。前記混合媒体がさらに酢酸を含むことも好ましい。Ｙが水素原子であることも好ましい。Ｘが炭素−炭素結合であることも好ましい。【００１８】
前記製造方法において、前記変性ビニルアルコール系重合体粒子をさらに洗浄することが好ましい。【００１９】
上記課題は、下記式（２）で示されるビニルエステル単位を含む変性ビニルアルコール系重合体粒子であって、全ビニルエステル単位に対する、三連鎖以上で存在するビニルエステル単位の割合が３０％以下であり、全構成単位に対するビニルアルコール単位の含有量が６０モル％以上９５モル％未満であり、平均粒子径が５０〜２０００μｍである変性ビニルアルコール系重合体粒子を提供することによっても解決される。【００２０】
【化３】
2020138284.tif 000005
［式（２）中、Ｘは炭素−炭素結合または炭素数１〜１０の分岐構造を有していてもよい２価の飽和炭化水素基を表し、Ｙは水素原子または炭素数１〜６の分岐構造を有していてもよい飽和炭化水素基を表し、Ｚは水素原子またはメチル基を表す。］【００２１】
このとき、前記変性ビニルアルコール系重合体粒子中の硫黄分の含有量が０．０１〜２００００ｐｐｍであることが好ましい。前記変性ビニルアルコール系重合体粒子のＡＳＴＭ  Ｄ１９２５にしたがって測定されるイエローインデックス（ＹＩ）が５０以下であることも好ましい。前記変性ビニルアルコール系重合体粒子中の全構成単位に対する前記式（２）で示されるビニルエステル単位の含有量が０．０１〜１０モル％であることも好ましい。Ｙが水素原子であることも好ましい。Ｘが炭素−炭素結合であることも好ましい。
【発明の効果】
【００２２】
本発明の変性ビニルアルコール系重合体粒子の製造方法は、反応時に使用する液体媒体等に由来する硫黄分の残留の問題がないうえに、粒子形状を維持したままビニルアルコール系重合体粒子を変性することが可能であるため、大量の貧溶媒へ重合体を析出させる工程が不要であることから、簡便であり経済的にも優れる。また、本発明の変性ビニルアルコール系重合体粒子は、親油性が高く、硫黄分の含有量が少なく、優れた高エネルギー線反応性を有し、かつ平均粒子径が所定の範囲であるため、カラム充填剤等として好適に使用される。
【発明を実施するための形態】
【００２３】
本発明は、不飽和カルボン酸、酸触媒及び水を含む混合媒体と、ビニルアルコール系重合体粒子とを混合する変性ビニルアルコール系重合体粒子の製造方法であって、前記不飽和カルボン酸が下記式（１）で示されるものであり、前記混合媒体と前記ビニルアルコール系重合体粒子とを混合して、前記不飽和カルボン酸と前記ビニルアルコール系重合体粒子とを反応させることにより、下記式（２）で示されるビニルエステル単位を含み、全構成単位に対するビニルアルコール単位の含有量が６０モル％以上９５モル％未満であり、平均粒子径が５０〜２０００μｍである変性ビニルアルコール系重合体粒子を得る、製造方法である。
【００２４】
【化４】
2020138284.tif 000006
【００２５】
［式（１）中、Ｘは炭素−炭素結合または炭素数１〜１０の分岐構造を有していてもよい２価の飽和炭化水素基を表し、Ｙは水素原子または炭素数１〜６の分岐構造を有していてもよい飽和炭化水素基を表し、Ｚは水素原子またはメチル基を表す。］
【００２６】
【化５】
2020138284.tif 000007
【００２７】
［式（２）中のＸ、Ｙ、Ｚは式（１）と同義である。］
【００２８】
本発明の製造方法において、前記ビニルアルコール系重合体粒子と反応させる不飽和カルボン酸として、式（１）で示されるものが用いられる。式（１）中のＸは、炭素−炭素結合または炭素数１〜１０の分岐構造を有していてもよい２価の飽和炭化水素基を表す。高エネルギー線反応性の点から、Ｘが炭素−炭素結合であることが好ましい。
【００２９】
Ｘとして用いられる飽和炭化水素基の炭素数は１〜１０である。当該炭素数が１０を超える場合、水溶性が悪化する。当該炭素数は５以下が好ましく、３以下がより好ましく、２以下がさらに好ましい。
【００３０】
Ｘとして用いられる２価の飽和炭化水素基としては、アルキレン基、シクロアルキレン基等が挙げられる。アルキレン基としては、メチレン基、エチレン基、プロピレン基、ブチレン基、ペンチレン基、ヘキシレン基、ヘプチレン基、オクチレン基、ノニレン基、デシレン基等が挙げられる。シクロアルキレン基としては、シクロプロピレン基、シクロブチレン基、シクロペンチレン基、シクロヘキシレン基等が挙げられる。Ｘとして用いられるアルキレン基及びシクロアルキレン基が、メチル基、エチル基等のアルキル基を分岐構造として有していてもよい。
【００３１】
式（１）中のＹは水素原子または炭素数１〜６の分岐構造を有していてもよい飽和炭化水素基を表す。Ｙが水素原子であることが好ましい。
【００３２】
Ｙとして用いられる飽和炭化水素基の炭素数は１〜６である。当該炭素数が６を超える場合、水溶性が悪化するおそれがある。当該炭素数は５以下が好ましく、３以下がより好ましく、２以下がさらに好ましい。
【００３３】
Ｙとして用いられる飽和炭化水素基としては、アルキル基、シクロアルキル基等が挙げられる。アルキル基としては、メチル基、エチル基、プロピル基、イソプロピル基、ブチル基、イソブチル基、ｓｅｃ−ブチル基、ｔｅｒｔ−ブチル基、ペンチル基、イソペンチル基及びネオペンチル基、ヘキシル基等が挙げられる。シクロアルキル基としては、シクロプロピル基、シクロブチル基、シクロペンチル基、シクロヘキシル基等が挙げられる。Ｙとして用いられるアルキル基及びシクロアルキル基が、メチル基、エチル基等のアルキル基を分岐構造として有していてもよい。
【００３４】
式（１）で示される不飽和カルボン酸として具体的には、メタクリル酸、アクリル酸、クロトン酸、３−メチル−３−ブテン酸、４−ペンテン酸、２−メチル−４−ペンテン酸、５−ヘキセン酸、３，３−ジメチル−４−ペンテン酸、７−オクテン酸、ｔｒａｎｓ−３−ペンテン酸、ｔｒａｎｓ−４−デセン酸、１０−ウンデセン酸などが挙げられる。中でも、工業的な入手容易性や反応性の観点から、メタクリル酸、アクリル酸、４−ペンテン酸、１０−ウンデセン酸が好ましい。
【００３５】
本発明の製造方法において、前記不飽和カルボン酸とビニルアルコール系重合体粒子との反応の触媒として、酸触媒が使用される。これにより、不飽和カルボン酸とビニルアルコール系重合体粒子との反応が促進される。前記酸触媒は、式（１）で示される不飽和カルボン酸とビニルアルコール系重合体粒子の水酸基との脱水エステル化反応を触媒するものであればよく、有機酸および無機酸のいずれでも使用可能である。有機酸としては、例えば、メタンスルホン酸、ベンゼンスルホン酸、トリフルオロメタンスルホン酸、パラトルエンスルホン酸が挙げられ、無機酸としては、例えば、硫酸、塩酸、硝酸が挙げられる。中でも、メタンスルホン酸、パラトルエンスルホン酸及び硫酸が好ましく、特にパラトルエンスルホン酸が好ましい。
【００３６】
本発明で使用されるビニルアルコール系重合体粒子を構成するビニルアルコール系重合体のけん化度は６０〜９９．９モル％が好ましい。また、前記ビニルアルコール系重合体の粘度平均重合度は１００〜５０００が好ましく、２００〜４０００がより好ましい。粘度平均重合度が１００未満である場合、得られる変性ビニルアルコール系重合体の機械的強度が低下するおそれがある。一方、粘度平均重合度が５０００を超える場合、ビニルアルコール系重合体粒子の工業的な製造が難しくなるおそれがある。ビニルアルコール系重合体のけん化度及び粘度平均重合度はＪＩＳ  Ｋ６７２６に準拠して測定される。
【００３７】
前記ビニルアルコール系重合体中のビニルアルコール単位は、加水分解や加アルコール分解などによってビニルエステル単位から誘導することができる。そのためビニルエステル単位からビニルアルコール単位に変換する際の条件等によってはビニルアルコール系重合体中にビニルエステル単位が残存することがある。
【００３８】
上記ビニルエステル単位のビニルエステルの例としては、ギ酸ビニル、酢酸ビニル、プロピオン酸ビニル、酪酸ビニル、イソ酪酸ビニル、ピバリン酸ビニル、バーサチック酸ビニル、カプロン酸ビニル、カプリル酸ビニル、ラウリル酸ビニル、パルミチン酸ビニル、ステアリン酸ビニル、オレイン酸ビニル、安息香酸ビニルなどを挙げることができ、これらの中でも酢酸ビニルが工業的観点から好ましい。
【００３９】
本発明の効果を阻害しない範囲であれば、前記ビニルアルコール系重合体がビニルアルコール単位及びビニルエステル単位以外の他の単量体単位を含有していてもよい。このような他の単量体単位としては、ビニルエステルと共重合可能なエチレン性不飽和単量体に由来するものが挙げられる。このようなエチレン性不飽和単量体として、例えば、エチレン、プロピレン、ｎ−ブテン、イソブチレン、１−ヘキセン等のα−オレフィン類；アクリル酸及びその塩；アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸２−エチルヘキシル、アクリル酸ドデシル、アクリル酸オクタデシル等のアクリル酸エステル類；メタクリル酸及びその塩；メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸２−エチルヘキシル、メタクリル酸ドデシル、メタクリル酸オクタデシル等のメタクリル酸エステル類；アクリルアミド、Ｎ−メチルアクリルアミド、Ｎ−エチルアクリルアミド、Ｎ，Ｎ−ジメチルアクリルアミド、ジアセトンアクリルアミド、アクリルアミドプロパンスルホン酸及びその塩、アクリルアミドプロピルジメチルアミン及びその塩（例えば４級塩）；メタクリルアミド、Ｎ−メチルメタクリルアミド、Ｎ−エチルメタクリルアミド、メタクリルアミドプロパンスルホン酸及びその塩、メタクリルアミドプロピルジメチルアミン及びその塩（例えば４級塩）；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテル、２，３−ジアセトキシ−１−ビニルオキシプロパン等のビニルエーテル類；アクリロニトリル、メタクリロニトリル等のシアン化ビニル類；塩化ビニル、フッ化ビニル等のハロゲン化ビニル類；塩化ビニリデン、フッ化ビニリデン等のハロゲン化ビニリデン類；酢酸アリル、２，３−ジアセトキシ−１−アリルオキシプロパン、塩化アリル等のアリル化合物；マレイン酸、イタコン酸、フマル酸等の不飽和ジカルボン酸及びその塩又はそのエステル；ビニルトリメトキシシラン等のビニルシリル化合物；酢酸イソプロペニルなどが挙げられる。
【００４０】
前記ビニルアルコール系重合体中のビニルアルコール単位及びビニルエステル単位以外の他の単量体単位の含有量は、通常１０モル％以下であり、５モル％以下が好ましく、１モル％以下がより好ましい。
【００４１】
本発明で使用されるビニルアルコール系重合体粒子の平均粒子径は５０〜２０００μｍであることが好ましい。前記平均粒子径が５０μｍ未満の場合、得られる変性ビニルアルコール系重合体粒子をカラムの充填剤として使用する場合に、通液性が不十分になるおそれがある。前記平均粒子径は１００μｍ以上がより好ましく、２００μｍ以上がさらに好ましく、３００μｍ以上が特に好ましく、５００μｍ以上が最も好ましい。一方、前記平均粒子径が２０００μｍを超える場合、粒子の内外で反応が均一に進行しないおそれがある。前記平均粒子径は９００μｍ以下がより好ましく、８００μｍ以下がさらに好ましい。
【００４２】
式（１）で示される不飽和カルボン酸、前記酸触媒及び水を含む混合媒体と、ビニルアルコール系重合体粒子とを混合して、前記不飽和カルボン酸と前記ビニルアルコール系重合体粒子とを反応させることにより変性ビニルアルコール系重合体粒子を得る。このように、前記ビニルアルコール系重合体粒子と前記不飽和カルボン酸とを反応させること、すなわち、原料のビニルアルコール系重合体粒子の粒子形状を維持したまま反応を行うことにより、反応生成物の単離に大量の貧溶媒への析出を必要としないのみならず、変性ビニルアルコール系重合体粒子の粒子形状の制御が可能となる。また、反応時に使用する液体媒体等に由来する硫黄分が変性ビニルアルコール系重合体粒子に残留する問題がない。さらに、得られる変性ビニルアルコール系重合体粒子において、三連鎖以上で存在するビニルエステル単位の割合が低減するため、変性ビニルアルコール系重合体粒子の親油性が向上する。前記不飽和カルボン酸と前記ビニルアルコール系重合体粒子とを反応させる方法としては、前記混合媒体と前記ビニルアルコール系重合体粒子とを混合して前記混合媒体中に前記ビニルアルコール系重合体粒子を分散させることにより、前記不飽和カルボン酸と前記ビニルアルコール系重合体粒子とを反応させる方法が好ましい。具体的には、前記混合媒体と前記ビニルアルコール系重合体粒子とを混合してスラリーや分散液とすることにより、前記不飽和カルボン酸と前記ビニルアルコール系重合体粒子とを反応させる方法が挙げられる。また、前記ビニルアルコール系重合体粒子に前記混合媒体を均一に馴染ませることにより、前記不飽和カルボン酸と前記ビニルアルコール系重合体粒子とを反応させる方法等も挙げられる。
【００４３】
前記混合媒体とビニルアルコール系重合体粒子の混合方法は、両者を均一に混合することが可能であれば特に限定されない。具体的には、（１）前記混合媒体を調製した後、当該前記混合媒体と前記ビニルアルコール系重合体粒子とを混合する方法、（２）前記ビニルアルコール系重合体と前記混合媒体の一部の成分とを混合した後、得られた混合物と前記混合媒体の残りの成分を混合する方法、（３）前記混合媒体の各成分と前記ビニルアルコール系重合体粒子とを同時に混合する方法等が挙げられ、中でも（１）が好ましい。
【００４４】
前記混合媒体とビニルアルコール系重合体粒子とを混合する際の前記混合媒体に対する前記ビニルアルコール系重合体粒子の質量比［重合体粒子／混合媒体］は、３／９７〜９０／１０が好ましい。質量比［重合体粒子／混合媒体］が３／９７未満の場合、反応性が著しく低下するおそれがある。質量比［重合体粒子／混合媒体］は１０／９０以上が好ましい。一方、質量比［重合体粒子／混合媒体］が９０／１０を超える場合、前記混合媒体とビニルアルコール系重合体粒子とを均一に混合することができないおそれや反応性が著しく低下するおそれがある。質量比［重合体粒子／混合媒体］は８０／２０以下がより好ましく、５０／５０以下がさらに好ましい。
【００４５】
ビニルアルコール系重合体粒子以外の混合媒体の合計に対する水の含有量が０．１〜２０質量％であることが好ましい。水の含有量が０．１質量％未満の場合、得られる変性ビニルアルコール系重合体粒子が着色し易くなるおそれがある。水の含有量は０．３質量％以上がより好ましく、１質量％以上がさらに好ましく、２質量％以上が特に好ましい。一方、水の含有量が２０質量％を超える場合、反応中にビニルアルコール系重合体が溶解して、粒子形状を維持したままビニルアルコール系重合体粒子を変性することが困難になるおそれがある。水の含有量は１５質量％以下がより好ましく、１２質量％以下がさらに好ましい。
【００４６】
前記不飽和カルボン酸と前記ビニルアルコール系重合体粒子とを反応させる際の前記酸触媒の添加量は前記ビニルアルコール系重合体中の水酸基１モルに対して、０．０００１〜０．１モルが好ましい。前記添加量は、０．０００５モル以上がより好ましい。一方、前記添加量は、０．０８モル以下がより好ましい。
【００４７】
前記混合媒体における、前記不飽和カルボン酸の含有量は、ビニルアルコール系重合体粒子１００質量部に対して、５〜２０００質量部が好ましい。不飽和カルボン酸の添加量が５質量部未満の場合、反応性が低下するおそれがある。不飽和カルボン酸の含有量は、１０質量部以上がより好ましく、２０質量部以上がさらに好ましく、３０質量部以上が特に好ましい。一方、不飽和カルボン酸の含有量が２０００質量部を超える場合、未反応の不飽和カルボン酸が増加してコストが上昇するおそれがある。不飽和カルボン酸の含有量は、１５００質量部以下がより好ましく、１０００質量部以下がさらに好ましく、７００質量部以下が特に好ましい。
【００４８】
変性ビニルアルコール系重合体の酢酸ビニル単位の含有量を制御する観点から、前記混合媒体がさらに酢酸を含むことが好ましい。前記混合媒体における酢酸の含有量は、前記混合媒体中における水１００質量部に対して、１〜１０００質量部が好ましい。酢酸の含有量は５質量部以上がより好ましく、１０質量部以上がさらに好ましい。一方、酢酸の含有量は８００質量部以下がより好ましく、６００質量部以下がさらに好ましい。
【００４９】
前記混合媒体が、式（１）で示される不飽和カルボン酸、前記酸触媒、水及び酢酸以外の他の添加剤を含んでいてもよい。他の添加剤として、例えば、界面活性剤や有機溶剤が挙げられる。界面活性剤としては、例えば、ポリオキシエチレン−アルキルエーテル型、ポリオキシエチレン−アルキルフェノール型、ポリオキシエチレン−多価アルコールエステル型、多価アルコールと脂肪酸とのエステル、オキシエチレン・オキシプロピレンブロックポリマー等の非イオン性界面活性剤；高級アルコール硫酸塩、高級脂肪酸アルカリ塩、ポリオキシエチレンアルキルフェノールエーテル硫酸塩、アルキルベンゼンスルホン酸塩、ナフタリンスルホン酸塩ホルマリン縮合物、アルキルジフェニルエーテルスルホン酸塩、ジアルキルスルホコハク酸塩、高級アルコールリン酸エステル塩等のアニオン性界面活性剤、反応性界面活性剤が挙げられる。有機溶剤としては、例えば、メタノール、エタノール、プロパノール、ブタノールなどのアルコール類；ｎ−ヘキサン、ｎ−ペンタン、シクロヘキサンなどの脂肪族または脂環式炭化水素類；ベンゼン、トルエンなどの芳香族炭化水素類；アセトニトリル、ベンゾニトリルなどのニトリル類；ジエチルエーテル、ジフェニルエーテル、アニソール、１,２−ジメトキシエタン、１，４−ジオキサンなどのエーテル類；アセトン、メチルエチルケトン、メチルイソプロピルケトン、メチルイソブチルケトンなどのケトン類；酢酸メチル、酢酸エチル、プロピオン酸エチルなどのエステル類などが挙げられる。他の添加剤として、紫外線吸収剤、光安定剤、酸化防止剤、可塑剤、消泡剤も挙げられる。前記混合媒体における、他の添加剤の含有量は、５０質量％以下が好ましく、３５質量％以下がより好ましい。また、前記混合媒体が硫黄を含有する液体媒体を含有しないことが好ましい。
【００５０】
前記不飽和カルボン酸と前記ビニルアルコール系重合体粒子とを反応させる際の温度は、１０〜１２０℃が好ましい。前記温度は、３０℃以上がより好ましく、５０℃以上がさらに好ましい。一方、前記温度は、１００℃以下がより好ましく、９０℃以下がさらに好ましい。前記不飽和カルボン酸と前記ビニルアルコール系重合体粒子とを反応させる際の反応時間は、通常０．５〜７２時間である。
【００５１】
反応後の変性ビニルアルコール系重合体粒子をさらに洗浄することが好ましい。具体的な洗浄方法としては、前記粒子を溶媒で洗浄する方法が挙げられる。具体的には、前記粒子を溶媒に浸漬した後、脱液する方法や、洗浄塔にて溶媒を流通させながら当該溶媒と前記粒子を接触させて洗浄する方法、前記粒子を流動させながら洗浄溶媒を噴霧する方法等が挙げられる。使用される溶媒としては、例えば、メタノール、エタノール、プロパノール、ブタノールなどのアルコール類；ｎ−ヘキサン、ｎ−ペンタン、シクロヘキサンなどの脂肪族または脂環式炭化水素類；ベンゼン、トルエンなどの芳香族炭化水素類；アセトニトリル、ベンゾニトリルなどのニトリル類；ジエチルエーテル、ジフェニルエーテル、アニソール、１,２−ジメトキシエタン、１，４−ジオキサンなどのエーテル類；アセトン、メチルエチルケトン、メチルイソプロピルケトン、メチルイソブチルケトンなどのケトン類；酢酸メチル、酢酸エチル、プロピオン酸エチルなどのエステル類などが挙げられる。中でも、アルコール類、エーテル類、ケトン類、エステル類がより好ましく、メタノール、エタノール、プロパノール、ジエチルエーテル、１，２−ジメトキシエタン、アセトン、メチルエチルケトン、酢酸メチル、酢酸エチルがさらに好ましく、メタノール、プロパノール、アセトン、メチルエチルケトン、酢酸メチル、酢酸エチルが特に好ましい。これらの有機溶媒は単独で用いてもよいし、２種以上を併用してもよい。
【００５２】
反応後の変性ビニルアルコール系重合体粒子を必要に応じて洗浄した後、当該粒子を乾燥させることが好ましい。このとき、通常、乾燥温度は２０〜１５０℃、乾燥時間は１〜７２時間である。また、変性ビニルアルコール系重合体粒子の乾燥は大気圧下で行ってもよいし、減圧下で行ってもよい。
【００５３】
こうして得られる変性ビニルアルコール系重合体粒子の平均粒子径が５０〜２０００μｍである必要がある。このような平均粒子径である変性ビニルアルコール系重合体粒子は、カラム充填剤として用いた場合の通液性等に優れる。そして、本発明の製造方法によれば、変性ビニルアルコール系重合体の粒子形状の制御が容易であるため、このような平均粒子径の変性ビニルアルコール系重合体粒子を簡便に製造することができる。前記平均粒子径が５０μｍ未満の場合、得られる変性ビニルアルコール系重合体粒子をカラムの充填剤として使用する場合に、通液性が不十分になる。前記平均粒子径は１００μｍ以上が好ましく、２００μｍ以上がより好ましく、３００μｍ以上がさらに好ましく、５００μｍ以上が特に好ましい。一方、前記平均粒子径が２０００μｍを超える場合、変性ビニルアルコール系重合体粒子の製造時に、粒子の内外で反応が均一に進行しない。前記平均粒子径は９００μｍ以下が好ましく、８００μｍ以下がより好ましい。変性ビニルアルコール系重合体粒子の平均粒子径は後述する実施例に記載されたレーザー回折装置を用いた方法により求めることができる。
【００５４】
得られる変性ビニルアルコール系重合体粒子の比表面積が０．０１〜１．０ｍ２／ｇであることが好ましい。前記比表面積が０．０１ｍ２／ｇ未満の場合、分離性能が悪化するおそれがある。前記比表面積は０．１ｍ２／ｇ以上がより好ましい。一方、前記比表面積が１．０ｍ２／ｇを超える場合、カラム充填剤として用いた場合に粒子が圧密化しろ過不良が発生するおそれがある。変性ビニルアルコール系重合体粒子の比表面積は後述する実施例に記載された方法により求めることができる。
【００５５】
親油性が向上する点から、得られる変性ビニルアルコール系重合体粒子において、全ビニルエステル単位に対する、三連鎖以上で存在するビニルエステル単位の割合が３０モル％以下であることが好ましい。前記割合は２５モル％以下がより好ましく、２０モル％以下がさらに好ましく、１６モル％以下が特に好ましい。一方、三連鎖以上で存在するビニルエステル単位の割合は通常１モル％以上である。三連鎖以上で存在するビニルエステル単位の割合は、後述する実施例に記載された１Ｈ−ＮＭＲ測定を用いた方法により求めることができる。
【００５６】
得られる変性ビニルアルコール系重合体における、全構成単位に対するビニルアルコール単位の含有量が６０モル％以上９５モル％未満である必要がある。ビニルアルコール単位の含有量が６０モル％未満の場合、変性ビニルアルコール系重合体の結晶性が著しく低下し、機械的強度が低下するおそれがある。ビニルアルコール単位の含有量は、７０モル％以上がより好ましい。一方、ビニルアルコール単位の含有量が９５モル％以上の場合、得られる変性ビニルアルコール系重合体粒子の親油性が不十分になるおそれがある。ビニルアルコール単位の含有量は、後述する実施例に記載された１Ｈ−ＮＭＲ測定を用いた方法により求めることができる。
【００５７】
得られる変性ビニルアルコール系重合体粒子中の全構成単位に対する式（２）で示されるビニルエステル単位の含有量が０．０１〜１０モル％であることが好ましい。前記ビニルエステル単位の含有量が０．０１モル％未満の場合、変性ビニルアルコール系重合体粒子の架橋反応を行った際に、十分に架橋反応が進行しないおそれがある。前記ビニルエステル単位の含有量は０．０５モル％以上がより好ましく、０．３モル％以上がさらに好ましく、０．５モル％以上が特に好ましい。一方、前記ビニルエステル単位の含有量が１０モル％を超える場合、変性ビニルアルコール系重合体粒子の水溶性が悪化するおそれがある。前記ビニルエステル単位の含有量は８モル％以下がより好ましく、５モル％以下がさらに好ましい。式（２）で示されるビニルエステル単位の含有量は、後述する実施例に記載された１Ｈ−ＮＭＲ測定を用いた方法により求めることができる。
【００５８】
本発明の効果を阻害しない範囲であれば、得られる変性ビニルアルコール系重合体粒子がビニルアルコール単位及びビニルエステル単位以外の他の単量体単位を含有していてもよい。このような他の単量体単位としては、変性ビニルアルコール系重合体粒子の製造に用いられるビニルアルコール系重合体粒子に含有されるビニルアルコール単位及びビニルエステル単位以外の単量体単位として上述したものが挙げられる。前記変性ビニルアルコール系重合体粒子中のビニルアルコール単位及びビニルエステル単位以外の他の単量体単位の含有量は、通常１０モル％以下であり、５モル％以下が好ましく、１モル％以下がより好ましい。
【００５９】
得られる変性ビニルアルコール系重合体粒子の粘度平均重合度は１００〜５０００が好ましく、２００〜４０００がより好ましい。粘度平均重合度が１００未満である場合、得られる変性ビニルアルコール系重合体粒子の機械的強度が低下するおそれがある。一方、粘度平均重合度が５０００を超える場合、ビニルアルコール系重合体粒子の工業的な製造が難しくなるおそれがある。変性ビニルアルコール系重合体粒子の粘度平均重合度はＪＩＳ  Ｋ６７２６に準拠して測定される。
【００６０】
得られる変性ビニルアルコール系重合体粒子中の硫黄分の含有量が０．０１〜２００００ｐｐｍであることが好ましい。このように硫黄分の含有量が少ない変性ビニルアルコール系重合体粒子には、カラムの充填剤として使用する場合の硫黄分の溶出によるコンタミネーションの問題が生じにくい。硫黄分の含有量は１００００ｐｐｍ以下がより好ましく、５０００ｐｐｍ以下がさらに好ましく、３０００ｐｐｍ以下が特に好ましい。一方、硫黄分の含有量が０．０１ｐｐｍ未満の場合、変性ビニルアルコール系重合体粒子の工業的な製造が難しくなるおそれがある。硫黄分の含有量は０．１ｐｐｍ以上がより好ましく、１ｐｐｍ以上がさらに好ましい。
【００６１】
得られる変性ビニルアルコール系重合体粒子のＡＳＴＭ  Ｄ１９２５にしたがって測定されるイエローインデックス（ＹＩ）が５０以下であることが好ましい。色相の良好な変性ビニルアルコール系重合体粒子をカラムの充填剤として用いた場合には、色相の変化を指標としてカラムの劣化を判断することができる。ＹＩは４０以下がより好ましく、３０以下がさらに好ましく、２０以下が特に好ましい。
【００６２】
本発明の変性ビニルアルコール系重合体粒子は、下記式（２）で示されるビニルエステル単位を含む変性ビニルアルコール系重合体粒子であって、全ビニルエステル単位に対する、三連鎖以上で存在するビニルエステル単位の割合が３０％以下であり、全構成単位に対するビニルアルコール単位の含有量が６０モル％以上９５モル％未満であり、平均粒子径が５０〜２０００μｍであるものである。
【００６３】
【化６】
2020138284.tif 000008
［式（２）中、Ｘは炭素−炭素結合または炭素数１〜１０の分岐構造を有していてもよい２価の飽和炭化水素基を表し、Ｙは水素原子または炭素数１〜６の分岐構造を有していてもよい飽和炭化水素基を表し、Ｚは水素原子またはメチル基を表す。］
【００６４】
本発明の変性ビニルアルコール系重合体粒子における、式（２）で示されるビニルエステル単位は、上述した製造方法により得られる変性ビニルアルコール系重合体粒子における、式（２）で示されるビニルエステル単位と同じである。
【００６５】
本発明の変性ビニルアルコール系重合体粒子中の硫黄分の含有量が０．０１〜２００００ｐｐｍであることが好ましい。前記変性ビニルアルコール系重合体粒子のＡＳＴＭ  Ｄ１９２５にしたがって測定されるイエローインデックス（ＹＩ）が５０以下であることも好ましい。前記変性ビニルアルコール系重合体粒子中の全構成単位に対する前記式（２）で示されるビニルエステル単位の含有量が０．０１〜１０モル％であることも好ましい。
【００６６】
このような変性ビニルアルコール系重合体粒子は、親油性が高く、硫黄分の含有量が少なく、優れた高エネルギー線反応性を有し、かつ平均粒子径が所定の範囲であるため、カラム充填剤、成形品等幅広い用途において好適に使用される。また、平均粒子径が所定の範囲にある本発明の変性ビニルアルコール系重合体粒子は効率よく運搬されるため、コスト低減が期待される。さらに本発明の変性ビニルアルコール系重合体粒子において、硫黄を含む微粉の含有量が少ないため、それらの吸引による作業者の健康被害の防止も図られる。
【実施例】
【００６７】
以下、実施例により本発明をより詳細に説明するが、本発明はこれらの実施例により何ら限定されるものではない。なお、実施例、比較例中の「％」および「部」は特に断りのない限り、それぞれ「質量％」および「質量部」を表す。【００６８】
［ビニルアルコール単位の含有量の算出］
日本電子株式会社製核磁気共鳴装置「ＬＡＭＢＤＡ  ５００」を用い、ＤＭＳＯ−ｄ６溶媒にて室温で変性ビニルアルコール系重合体粒子の１Ｈ−ＮＭＲを測定し、水酸基の結合したメチンプロトン由来のピーク（３．４〜４．０ｐｐｍ）の積分値およびビニルエステル基のメチンプロトン由来のピーク（４．７〜５．３ｐｐｍ）の積分値から、当該重合体粒子のビニルアルコール単位の含有量を算出した。【００６９】
［変性率の算出］
日本電子株式会社製核磁気共鳴装置「ＬＡＭＢＤＡ  ５００」を用い、ＤＭＳＯ−ｄ６溶媒にて室温で変性ビニルアルコール系重合体粒子の１Ｈ−ＮＭＲを測定し、オレフィンプロトン由来のピーク（５．０〜７．５ｐｐｍ）の積分値から、当該重合体粒子の変性率［全構成単位に対する前記式（２）で示されるビニルエステル単位の含有量（モル％）］を算出した。例えば、実施例１においては、５．６ｐｐｍおよび６．０ｐｐｍに表れるオレフィンプロトン由来のピークの積分値から、変性率を算出した。【００７０】
［三連鎖以上で存在するビニルエステル基の割合の算出］
日本電子株式会社製核磁気共鳴装置「ＬＡＭＢＤＡ  ５００」を用い、ＤＭＳＯ−ｄ６溶媒にて８０℃で変性ビニルアルコール系重合体粒子の１Ｈ−ＮＭＲを測定した。（ａ）４．７〜４．９ｐｐｍ（水酸基−ビニルエステル基−水酸基の真ん中のメチンプロトン）、（ｂ）４．９〜５．０５ｐｐｍ（水酸基−ビニルエステル基−ビニルエステル基の真ん中のメチンプロトン）、（ｃ）５．０５〜５．２ｐｐｍ（ビニルエステル基三連鎖の真ん中のメチンプロトン）の積分値から、以下の式に従い、全ビニルエステル単位に対する、三連鎖以上で存在するビニルエステル基の割合を算出した。
三連鎖以上で存在するビニルエステル基の割合（％）
＝（ｃ）／｛（ａ）＋（ｂ）＋（ｃ）｝×１００【００７１】
［平均粒子径の測定］
変性ビニルアルコール系重合体粒子をメタノール中に分散させ、株式会社堀場製作所製レーザー回折装置「ＬＡ−９５０Ｖ２」を用いて体積平均粒子径（μｍ）を測定した。【００７２】
［比表面積の測定］
ユアサアイオニクス株式会社製比表面積測定装置「ＭＯＮＯＳＯＲＢ」を用い、窒素吸着によるＢＥＴ一点法により、変性ビニルアルコール系重合体粒子の比表面積（ｍ２／ｇ）を導出した。【００７３】
［色相（イエローインデックス；ＹＩ）の測定］
実施例または比較例で得られた変性ビニルアルコール系重合体粒子のＹＩ（ＡＳＴＭ  Ｄ１９２５）を、下記の方法により、コニカミノルタ株式会社製分光測色計「ＣＭ−８５００ｄ」を用いて測定した（光源：Ｄ６５、ＣＭ−Ａ１２０白色校正板、ＣＭ−Ａ１２６シャーレセット使用、正反射測定ＳＣＥ、測定径φ３０ｍｍ）。シャーレに試料５ｇを添加し、粉体を押さえつけないようにして軽く側面をたたいてシャーレを振とうし、均一に粉体を敷き詰めた。この状態で合計１０回の測定を行い（各回でシャーレを一度振とうしてから再測定）、その平均値を重合体粒子のＹＩとした。【００７４】
［感光性の評価］
実施例又は比較例で得られた変性ビニルアルコール系重合体粒子を溶解させた水溶液（濃度５質量％）に、光開始剤として２−ヒドロキシ−４’−（２−ヒドロキシエトキシ）−２−メチルプロピオフェノンを、粒子１００質量部に対して１質量部になるように添加してから溶解させることにより塗工液を調製した。当該塗工液を、ポリエチレンテレフタレートフィルムの端を折り曲げて作製した１５ｃｍ×１５ｃｍの型枠に流延し、室温大気圧下で溶媒を十分に揮発させ、厚さ約１００μｍのフィルムを得た。ここに１０Ｊ／ｃｍ２の強度で紫外線を照射し、評価用フィルムを作製した後、質量（Ｗ２）を測定した。得られた評価用フィルムを沸騰水中に１時間浸漬し、水から取り出して、４０℃で１２時間真空乾燥した後に質量（Ｗ１）を測定した。得られた質量（Ｗ１）と浸漬前のフィルムの質量（Ｗ２）とから、以下の式に従って煮沸条件下における溶出率を算出し、この溶出率を感光性の指標とした（溶出率が低いほど感光性が高いことを意味する）。なお、水中に浸漬中に評価用フィルムが溶解した場合には「測定不能」と評価し、表１には「−」と記載した。
溶出率（質量％）＝１００×（［Ｗ２］−［Ｗ１］）／［Ｗ２］【００７５】
［親油性の評価］
実施例又は比較例で得られた変性ビニルアルコール系重合体粒子０．５質量部を、有機化合物である４−アクリロイルモルホリン（ＡＣＭＯ）４．５質量部に、室温で２日間浸漬させた。２日後、粒子を開口径５６μｍのＰＥＴメッシュでろ過し、紙製のウエスで表面の液を十分に吸収させた。浸漬後の膨潤粒子の質量（Ｗ３）と、浸漬前の粒子の質量（Ｗ４）から、以下の式に従って、ＡＣＭＯへの膨潤度を算出し、有機物との親和性、すなわち親油性の指標とした（膨潤度が高いほど親油性が高いことを意味する）。
膨潤度＝Ｗ３／Ｗ４
Ａ：膨潤度が１．６以上
Ｂ：膨潤度が１．３以上１．６未満
Ｃ：膨潤度が１．３未満【００７６】
［通液性の評価］
実施例又は比較例で得られた変性ビニルアルコール系重合体粒子に電子線を１５０ｋＧｙ照射して架橋耐水化した。架橋された変性ビニルアルコール系重合体粒子１００質量部を、クロマトカラム（内径５０ｍｍ、開口径４０〜５０μｍのガラスフィルター及びコック付）に充填した。ここにメタノール／水＝９／１（質量比）混合液１３０質量部を充填後、コックを開いてろ過を開始した。ろ液を回収し、添加した混合液の９０％（すなわち、１１７質量部）がろ液として採取された時点を「ろ過完了」とし、ろ過開始からろ過完了までに要した時間によって通液性を評価した。
Ａ：１５０秒未満でろ過が完了した場合
Ｂ：１５０秒以上３００秒未満で完了した場合
Ｃ：ろ過完了までに３００秒以上要した場合【００７７】
［硫黄分の含有量の評価］
実施例又は比較例で得られた変性ビニルアルコール系重合体粒子を８０℃で１２時間乾燥させたのち、パーキンエルマー製有機元素分析装置２４００ＩＩを用いて、変性ビニルアルコール系重合体粒子中の硫黄分の含有量を測定した。【００７８】
［実施例１］
攪拌機、還流管、添加口を備えた反応器に、メタクリル酸５３８．７質量部、イオン交換水２８．４質量部、ｐ−メトキシフェノール１．３質量部、パラトルエンスルホン酸一水和物９．１質量部を順次仕込み、室温で撹拌しながら市販のポリビニルアルコール樹脂（粘度平均重合度５００、けん化度８２モル％、平均粒子径７１０μｍ）１００質量部を添加して、撹拌しながら７５℃まで昇温し、スラリー状態で３時間反応させた。その後、室温まで冷却し、内容物をろ過して変性ポリビニルアルコール粒子を回収し、大量のメタノールで洗浄した後、４０℃、１．３Ｐａで１２時間乾燥することにより、目的の粒子を得た。得られた変性ビニルアルコール系重合体粒子の構造解析結果、物性評価結果を表１に示す。【００７９】
［実施例２］
攪拌機、還流管、添加口を備えた反応器に、メタクリル酸５２７．３質量部、イオン交換水３９．７質量部、ｐ−メトキシフェノール１．３質量部、４７％硫酸７．５質量部を順次仕込み、室温で撹拌しながら市販のポリビニルアルコール樹脂（粘度平均重合度１７００、けん化度８８モル％、平均粒子径７５０μｍ）１００質量部を添加して、撹拌しながら７０℃まで昇温し、スラリー状態で２時間反応させた。その後、実施例１と同様に後処理し、目的の粒子を得た。得られた変性ビニルアルコール系重合体粒子の構造解析結果、物性評価結果を表１に示す。【００８０】
［実施例３］
攪拌機、還流管、添加口を備えた反応器に、メタクリル酸４７６．３質量部、酢酸６２．４質量部、イオン交換水２８．４質量部、ｐ−メトキシフェノール１．３質量部、パラトルエンスルホン酸一水和物９．１質量部を順次仕込み、室温で撹拌しながら市販のポリビニルアルコール樹脂（粘度平均重合度５００、けん化度８２モル％、平均粒子径７１０μｍ）１００質量部を添加して、撹拌しながら６５℃まで昇温し、スラリー状態で５時間反応させた。その後、実施例１と同様に後処理し、目的の粒子を得た。得られた変性ビニルアルコール系重合体粒子の構造解析結果、物性評価結果を表１に示す。【００８１】
［実施例４］
攪拌機、還流管、添加口を備えた反応器に、メタクリル酸４６４．９質量部、酢酸８５．１質量部、イオン交換水１７．０質量部、ｐ−メトキシフェノール１．３質量部、パラトルエンスルホン酸一水和物３．９質量部を順次仕込み、室温で撹拌しながら市販のポリビニルアルコール樹脂（粘度平均重合度５００、けん化度７４モル％、平均粒子径６９６μｍ）１００質量部を添加して、撹拌しながら６０℃まで昇温し、スラリー状態で８時間反応させた。その後、実施例１と同様に後処理し、目的の粒子を得た。得られた変性ビニルアルコール系重合体粒子の構造解析結果、物性評価結果を表１に示す。【００８２】
［実施例５］
攪拌機、還流管、添加口を備えた反応器に、４−ペンテン酸４７６．３質量部、酢酸６２．４質量部、イオン交換水２８．４質量部、ｐ−メトキシフェノール１．３質量部、パラトルエンスルホン酸一水和物９．１質量部を順次仕込み、室温で撹拌しながら市販のポリビニルアルコール樹脂（粘度重合度５００、けん化度８２モル％、平均粒子径７１０μｍ）１００質量部を添加して、撹拌しながら６５℃まで昇温し、スラリー状態で２時間反応させた。その後、実施例１と同様に後処理し、目的の粒子を得た。得られた変性ビニルアルコール系重合体粒子の構造解析結果、物性評価結果を表１に示す。【００８３】
なお、得られた変性ビニルアルコール系重合体粒子の１Ｈ−ＮＭＲ測定を行った結果、不飽和炭化水素基由来のオレフィンプロトンピークとビニルエステル基のメチンプロトンピークが重複したため、三連鎖以上で存在するビニルエステル基の割合を算出できなかった。そこで、水に変性ビニルアルコール系重合体粒子を溶解（変性ビニルアルコール系重合体粒子の含有量５ｗｔ％）した後、プロパンチオールを、前記オレフィン１モルに対して、１モル添加し、さらに、光開始剤である２−ヒドロキシ−４’−（２−ヒドロキシエトキシ）−２−メチルプロピオフェノンを、プロパンチオール１モルに対して、１モル添加した。こうして調製した溶液に３０００ｍＪ／ｃｍ２の強度で紫外線を照射した。得られた溶液を大量のメタノールに添加して重合体粒子を析出させた後、当該粒子を１Ｈ−ＮＭＲで分析したところ、チオールの付加によりオレフィンプロトンピークが消失したことで、三連鎖以上で存在するビニルエステル基の割合を算出できた。【００８４】
［実施例６］
攪拌機、還流管、添加口を備えた反応器に、アクリル酸４９９．０質量部、酢酸３９．７質量部、イオン交換水２８．４質量部、ｐ−メトキシフェノール１．３質量部、パラトルエンスルホン酸一水和物３．４質量部を順次仕込み、室温で撹拌しながら市販のポリビニルアルコール樹脂（粘度平均重合度５００、けん化度８８モル％、平均粒子径６８０μｍ）１００質量部を添加して、撹拌しながら６０℃まで昇温し、スラリー状態で７時間反応させた。その後、実施例１と同様に後処理し、目的の粒子を得た。得られた変性ビニルアルコール系重合体粒子の構造解析結果、物性評価結果を表１に示す。【００８５】
［実施例７］
攪拌機、還流管、添加口を備えた反応器に、メタクリル酸４７６．３質量部、酢酸５１．０質量部、イオン交換水３９．７質量部、ｐ−メトキシフェノール１．３質量部、パラトルエンスルホン酸一水和物４．２質量部を順次仕込み、室温で撹拌しながら市販のポリビニルアルコール樹脂（粘度平均重合度１７００、けん化度９９．５モル％、平均粒子径１２８μｍ）１００質量部を添加して、撹拌しながら８０℃まで昇温し、スラリー状態で５時間反応させた。その後、実施例１と同様に後処理し、目的の粒子を得た。得られた変性ビニルアルコール系重合体粒子の構造解析結果、物性評価結果を表１に示す。【００８６】
［実施例８］
攪拌機、還流管、添加口を備えた反応器に、市販のポリビニルアルコール樹脂（粘度平均重合度５００、けん化度８２モル％、平均粒子径７１０μｍ）１００質量部を仕込み、室温で攪拌しながら、事前に混合したメタクリル酸５６．０質量部、酢酸７．３質量部、イオン交換水３．３質量部、ｐ−メトキシフェノール０．３質量部、パラトルエンスルホン酸一水和物９．１質量部の混合液を少量ずつ添加した。十分攪拌してポリビニルアルコール樹脂全体に混合液を均一になじませたのち、撹拌しながら６５℃まで昇温して、粉体状態で５時間反応させた。その後、粉体を大量のメタノールで洗浄した後、４０℃、１．３Ｐａで１２時間乾燥することにより、目的の粒子を得た。得られた変性ビニルアルコール系重合体粒子の構造解析結果、物性評価結果を表１に示す。【００８７】
［実施例９］
攪拌機、還流管、添加口を備えた反応器に、メタクリル酸５６４．２質量部、イオン交換水２．８質量部、ｐ−メトキシフェノール１．３質量部、パラトルエンスルホン酸一水和物２．６質量部を順次仕込み、室温で撹拌しながら市販のポリビニルアルコール樹脂（株式会社クラレ製、粘度平均重合度５００、けん化度７４モル％、平均粒子径６９６μｍ）１００質量部を添加して、撹拌しながら７５℃まで昇温し、スラリー状態で４時間反応させた。その後、実施例１と同様に後処理し、目的の粒子を得た。得られた変性ビニルアルコール系重合体粒子の構造解析結果、物性評価結果を表１に示す。【００８８】
［比較例１］
市販のポリビニルアルコール樹脂（粘度平均重合度５００、けん化度８２モル％、平均粒子径７１０μｍ）を評価した。構造解析結果、物性評価結果を表１に示す。【００８９】
［比較例２］
攪拌機、還流管、添加口を備えた反応器に、ジメチルスルホキシド４００．０質量部、事前に８０℃で２４時間真空乾燥させた市販のポリビニルアルコール樹脂（粘度平均重合度５００、けん化度８８モル％、平均粒子径６８０μｍ）１００質量部を加え、攪拌しながら１００℃に昇温することで均一溶液を得た。当該溶液にメタクリル酸メチルを６６．７質量部、フェノチアジンを１，１質量部添加し、均一になるまで攪拌した。得られた溶液に、エステル交換触媒として酢酸ナトリウムを１．９質量部添加し、５時間反応させたのち、室温に放冷した。反応溶液にＤＭＳＯを加え希釈した後、メタノールに滴下してポリマーを単離し、４０℃、１．３Ｐａで１２時間乾燥させた。得られた変性ビニルアルコール系重合体粒子の構造解析結果、物性評価結果を表１に示す。【００９０】
［比較例３］
攪拌機、還流管、添加口を備えた反応器に、ジメチルスルホキシド４００．０質量部、事前に８０℃で２４時間真空乾燥させた市販のポリビニルアルコール樹脂（粘度平均重合度５００、けん化度８２モル％、平均粒子径７１０μｍ）１００質量部を加え、攪拌しながら１００℃に昇温することで均一溶液を得た。当該溶液に３，３−ジメチルペンテン酸メチル（ＭＰＭ）を６４．４質量部添加し、均一になるまで攪拌した。得られた溶液に、エステル交換触媒としてテトラメチルアンモニウムメチルカーボネート０．４質量部を添加し、５時間反応させたのち、室温に放冷した。反応溶液にＤＭＳＯを加え希釈した後、メタノールに滴下してポリマーを単離し、４０℃、１．３Ｐａで１２時間乾燥させた。得られた変性ビニルアルコール系重合体粒子の構造解析結果、物性評価結果を表１に示す。【００９１】
［比較例４］
攪拌機、還流管、添加口を備えた反応器に、イオン交換水２８８．０質量部を仕込み、攪拌しながら市販のポリビニルアルコール樹脂（粘度平均重合度５００、けん化度９８モル％、平均粒子径７２３μｍ）１００質量部を加え、９５℃に昇温し、３時間加熱攪拌することで均一溶液を得た。溶液を室温まで冷却し、攪拌しながら、メタクリル酸３２９．２質量部、酢酸２２８．８質量部、ｐ−メトキシフェノール２質量部、３６％塩酸水溶液２７．０質量部を順次仕込み、撹拌しながら８０℃まで昇温し、均一溶液状態で２時間反応させた後、室温まで冷却した。得られた溶液を希釈し、大量のメタノールを強く攪拌しているところへ少量ずつ添加し、変性ビニルアルコール系重合体の微粒子を析出させた。析出物を回収し、さらに大量のメタノールで洗浄した後、４０℃、１．３Ｐａで１２時間乾燥することにより、目的の微粒子を得た。得られた変性ビニルアルコール系重合体粒子の構造解析結果、物性評価結果を表１に示す。【００９２】
【表１】
2020138284.tif 000009
【００９３】
実施例１〜９から明らかなように、本発明の製造方法では、粒子形状のまま変性させるため、反応生成物を貧溶媒に析出させる操作を行うことなく、簡便に変性ビニルアルコール系重合体粒子を単離することができる。本発明の変性ビニルアルコール系重合体粒子は、優れた高エネルギー線反応性を有しており、架橋させたのちカラムの充填剤として使用する場合、優れた通液性、親油性および色相を有する。また、本発明の製造方法では、ＤＭＳＯを使用しないため、硫黄分のコンタミネーションも抑制できる。【００９４】
比較例２〜４のように、ビニルアルコール系重合体粒子を溶媒に溶解させて反応させる場合、反応生成物である変性ビニルアルコール系重合体粒子を単離するために貧溶媒に析出させる必要があり、操作が煩雑なうえ、粒子形状の制御も容易でなかった。また、比較例１の無変性のビニルアルコール系重合体粒子は、感光性を発現しなかった。比較例１及び２の三連鎖以上で存在するビニルエステル基の割合が３０％を超えるビニルアルコール系重合体粒子は親油性が低かった。比較例２〜４のように、ビニルアルコール系重合体粒子が溶解した状態で反応させて得られた変性ビニルアルコール系重合体粒子は、平均粒子径が５０μｍ未満であり通液性が悪かった。比較例２および３のように反応時にＤＭＳＯを使用した場合は、変性ビニルアルコール系重合体粒子中の硫黄分の含有量が極めて多かった。【００９５】
［実施例１０］
実施例１で得られた変性ビニルアルコール系重合体粒子のカラム充填剤としての評価を行った。当該粒子に電子線を１５０ｋＧｙ照射し、架橋耐水化した。架橋された変性ビニルアルコール系重合体粒子１００質量部を、クロマトカラム（内径５０ｍｍ、開口径４０〜５０μｍのガラスフィルター及びコック付）に充填し、溶離液としてメタノール／水＝９／１（質量比）溶液を１０００質量部通液し、前記重合体粒子を湿潤させた。カラムの上部の重合体粒子に、ＡＣＭＯを１０質量％含むメタノール／水＝９／１（質量比）溶液を吸着させたのち、溶離液として、メタノール／水＝９／１（質量比）溶液を１００質量部通液させた。カラム出口より液を回収し、分析に供した。【００９６】
上記試験の間、良好な通液性を維持していた。回収液を１Ｈ−ＮＭＲで分析したところ、回収液中にはＡＣＭＯは含まれていなかったことから、変性ビニルアルコール系重合体粒子にＡＣＭＯが保持されていることが確認された。また、回収液を元素分析に供したところ、回収液中の硫黄分含有量は１０ｐｐｍであった。
【国際調査報告】
2020138284.tif 000014
2020138284.tif 000015
2020138284.tif 000016
2020138284.tif 000017